(57)【要約】  【課題】  優れた粒状性を有するインクセット並びにこれを用いたインクジェット記録方法及び記録物を提供する。  【解決手段】  マゼンタインク組成物と、該マゼンタインク組成物の顔料濃度よりも低い顔料濃度からなるライトマゼンタインク組成物と、を少なくとも備えるインクセットであって、前記マゼンタインク組成物に用いられる顔料がＣ．Ｉ．ピグメントバイオレット１９であり、前記ライトマゼンタインク組成物に用いられる顔料がＣ．Ｉ．ピグメントレッド１２２であるインクセット並びにこれを用いたインクジェット記録方法及び記録物により解決する。【選択図】    なし【特許請求の範囲】
【請求項１】
マゼンタインク組成物と、該マゼンタインク組成物の顔料濃度よりも低い顔料濃度からなるライトマゼンタインク組成物と、を少なくとも備えるインクセットであって、
該マゼンタインク組成物に用いられる顔料がＣ．Ｉ．ピグメントバイオレット１９であり、該ライトマゼンタインク組成物に用いられる顔料がＣ．Ｉ．ピグメントレッド１２２であるインクセット。
【請求項２】
前記マゼンタインク組成物に用いられる前記Ｃ．Ｉ．ピグメントバイオレット１９の濃度と前記ライトマゼンタインク組成物に用いられる前記Ｃ．Ｉ．ピグメントレッド１２２の濃度の比が４：３〜１４：１である請求項１記載のインクセット。
【請求項３】
前記マゼンタインク組成物及び前記ライトマゼンタインク組成物は、顔料を分散するための分散剤を含む請求項１又は２記載のインクセット。
【請求項４】
前記分散剤が、樹脂又は界面活性剤である請求項３記載のインクセット。
【請求項５】
前記マゼンタインク組成物及び前記ライトマゼンタインク組成物は、記録媒体への顔料の浸透性を高める浸透促進剤を含む請求項１〜４のいずれか１項記載のインクセット。
【請求項６】
前記浸透促進剤が、１，２−アルカンジオール及び／又はシリコン系界面活性剤である請求項５記載のインクセット。
【請求項７】
前記マゼンタインク組成物及び前記ライトマゼンタインク組成物は、湿潤剤を含む請求項１〜６のいずれか１項記載のインクセット。
【請求項８】
前記湿潤剤が、多価アルコールである請求項７記載のインクセット。
【請求項９】
更に、イエローインク組成物、シアンインク組成物及びライトシアンインク組成物を備える請求項１〜８のいずれか１項記載のインクセット。
【請求項１０】
インク組成物の液滴を吐出し、該液滴を記録媒体に付着させて印字を行うインクジェット記録方法であって、
請求項１〜９のいずれか１項記載のインクセットを用いることを特徴とするインクジェット記録方法。
【請求項１１】
請求項１〜９のいずれか１項記載のインクセットを用いて、又は請求項１０記載のインクジェット記録方法によって、記録されたことを特徴とする記録物。
【発明の詳細な説明】
【技術分野】
【０００１】
本発明は、インクセット並びにこれを用いたインクジェット記録方法及び記録物に関し、詳しくは、優れた粒状性を有するインクセット並びにこれを用いたインクジェット記録方法及び記録物に関する。
【背景技術】
【０００２】
インクジェット記録方法は、インク組成物の小滴を飛翔させ、紙等の記録媒体に付着させて印刷を行う印刷方法である。この方法は、比較的安価な装置で高解像度、高品位な画像を高速で印刷可能であるという特徴を有する。
【０００３】
近年、このようなインクジェット記録方法において、複数のカラーインク組成物からなるインクセットを構成してカラー画像を形成することが行われている。一般に、カラー画像の形成は、イエローインク組成物・マゼンタインク組成物・シアンインク組成物の三色を含むインクセットや、これにブラックインク組成物を加えた四色を含むインクセット、又は二次色として前記四色以外の色を含むインクセット、更に同一色でありながら色の濃淡（着色剤の濃度）により彩色の種類を分類したインク（濃淡インク）組成物を含むインクセット等を用いて行われている。
【０００４】
例えば、二次色として前記四色以外の色を含むインクセットとしては、イエローインク組成物、マゼンタインク組成物、シアンインク組成物及びブラックインク組成物の四色のほか、グリーンインク組成物及びレッドインク組成物を備え、高い色再現性、色彩度及び光沢性を有するインクジェット用水性顔料インクセットが提案されている（特許文献１）。
【０００５】
濃淡インク組成物を含むインクセットとしては、顔料濃度が異なる２つのブラックインク組成物を備え、低明度部の粒状性を損なわずに色再現性を向上させたインクセットが提案されている（特許文献２）。
【特許文献１】特開２００１−３５４８８６号公報
【特許文献２】特開２００３−２３８８５７号公報
【発明の開示】
【発明が解決しようとする課題】
【０００６】
しかしながら従来のインクセットにおいては、印字した記録画像の粒状性が悪化するという傾向が見られる。このため、粒状性を向上させるための種々の手段が試みられているが、未だ十分な品質の画像が得られていないのが実状である。従って、本発明の目的は、優れた粒状性を有するインクセット並びにこれを用いたインクジェット記録方法及び記録物を提供することにある。
【課題を解決するための手段】
【０００７】
本発明者らは鋭意検討した結果、濃淡インク組成物を含むインクセットにおいて、当該濃淡インク組成物に用いられる着色剤として、それぞれ異なる特定の顔料とすることにより、優れた粒状性を有するインクセットを得ることができることを見出した。本発明はこの知見に基づきなされたものであり、マゼンタインク組成物と、該マゼンタインク組成物の顔料濃度よりも低い顔料濃度からなるライトマゼンタインク組成物と、を少なくとも備えるインクセットであって、該マゼンタインク組成物に用いられる顔料がＣ．Ｉ．ピグメントバイオレット１９であり、該ライトマゼンタインク組成物に用いられる顔料がＣ．Ｉ．ピグメントレッド１２２であるインクセットを提供するものである。これにより、粒状性に優れたインクセットを得ることができる。
【０００８】
上記発明の好ましい態様は次の通りである。前記マゼンタインク組成物に用いられる前記Ｃ．Ｉ．ピグメントバイオレット１９の濃度と前記ライトマゼンタインク組成物に用いられる前記Ｃ．Ｉ．ピグメントレッド１２２の濃度の比が４：３〜１４：１であることが好ましい。かかる範囲内とすることで、粒状性をより向上させることができる。
【０００９】
また、本発明は、インク組成物の液滴を吐出し、該液滴を記録媒体に付着させて印字を行うインクジェット記録方法であって、上記のインクセットを用いることを特徴とするインクジェット記録方法を提供するものである。
【００１０】
更に、本発明は、上記のインクセットを用いて、又は上記のインクジェット記録方法によって、記録されたことを特徴とする記録物を提供するものである。
【発明を実施するための最良の形態】
【００１１】
本発明のインクセットは、既述のように、マゼンタインク組成物と、該マゼンタインク組成物の顔料濃度よりも低い顔料濃度からなるライトマゼンタインク組成物と、を少なくとも備えるインクセットであって、マゼンタインク組成物に用いられる顔料がＣ．Ｉ．ピグメントバイオレット１９であり、ライトマゼンタインク組成物に用いられる顔料がＣ．Ｉ．ピグメントレッド１２２である。
【００１２】
顔料の添加量は、前記マゼンタインク組成物中には、好ましくは１．５〜１０重量％、更に好ましくは２〜７重量％であり、前記ライトマゼンタインク組成物中には、好ましくは０．０１〜２重量％、更に好ましくは０．５〜１．５重量％である。これらマゼンタインク組成物中のＣ．Ｉ．ピグメントバイオレット１９の濃度とライトマゼンタインク組成物中のＣ．Ｉ．ピグメントレッド１２２の濃度の比は４：３〜１４：１であることが好ましい。
【００１３】
本発明に用いられるインク組成物においては、これらの顔料は、分散剤としての樹脂または界面活性剤で水性媒体中に分散させて得られた顔料分散液としてインクに添加することが好ましい。分散剤としての樹脂としては、顔料分散液を調製するのに慣用されている樹脂、例えば高分子樹脂を使用することができる。また、顔料分散液とせずに、これら分散剤をインク組成物中に添加することもできる。
【００１４】
前記高分子樹脂としては、（メタ）アクリル系樹脂、酢酸ビニル系樹脂、スチレン−ブタジエン系樹脂、塩化ビニル系樹脂、（メタ）アクリル−スチレン系樹脂、ブタジエン系樹脂、スチレン系樹脂、架橋（メタ）アクリル樹脂、架橋スチレン樹脂、ベンゾグアナミン樹脂、フェノール樹脂、シリコーン樹脂、エポキシ樹脂等が挙げられ、これらのうち、特に（メタ）アクリル−スチレン系樹脂が好ましい。
【００１５】
前記（メタ）アクリル−スチレン系樹脂は、更に、水溶性であることが好ましく、その分子量が１，０００〜１５，０００、特に３，０００〜１０，０００であることが好ましく、その酸価が５０〜２００、特に７０〜１５０であることが好ましい。
【００１６】
樹脂の添加量（固形分換算）は、前記顔料に対する重量比が、マゼンタインク組成物における重量比の方がライトマゼンタインク組成物における重量比よりも低くなる範囲内の量であり、この範囲内であれば特に制限されない。尚、通常、樹脂は、前記マゼンタインク組成物の場合には、顔料１００重量部に対して、１０〜１００重量部、特に２０〜８０重量部添加され、前記ライトマゼンタインク組成物場合には、顔料１００重量部に対して、１０〜１００重量部、特に２０〜１００重量部添加される。
【００１７】
また、分散剤としての前記界面活性剤としては、アニオン性界面活性剤（例えば、ドデシルベンゼンスルホン酸ナトリウム、ラウリル酸ナトリウム、ポリオキシエチレンアルキルエーテルサルフェートのアンモニウム塩等）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等）が挙げられる。また、アセチレングリコール類（オルフィンＹ、ＳＴＧ並びにサーフィノール８２、１０４、４４０、４６５及び４８５（何れもAir Products and Chemicals Inc.製）等を用いることも可能である。これらは単独又は二種以上を混合して用いることができる。
【００１８】
界面活性剤の添加量は、前記マゼンタインク及びライトマゼンタインクの各インク組成物中、好ましくは０．０５〜５重量％であり、更に好ましくは０．１〜１．５重量％である。
【００１９】
本発明においては、前記マゼンタインク及びライトマゼンタインク組成物は、前述した分散剤としての樹脂を分散相として用い、水を連続相として用いた樹脂エマルジョンを含むことができる。前記樹脂は、親水性部分と疎水性部分とを併せ持つ重合体を用いることもできる。また、これらの樹脂の粒子径はエマルジョンを形成する限り特に制限されないが、１５０ｎｍ以下が好ましく、更に好ましくは５〜１００ｎｍである。
【００２０】
これらの樹脂エマルジョンは、樹脂モノマーを、場合によって界面活性剤とともに水中で分散重合することによって得ることができる。例えば、（メタ）アクリル系樹脂又はスチレン−（メタ）アクリル系樹脂のエマルジョンは、（メタ）アクリル酸エステル、又は（メタ）アクリル酸エステル及びスチレンを、界面活性剤とともに水中で分散重合させることによって得ることができる。樹脂成分と界面活性剤との混合の割合（重量比）は、１０：１〜５：１とするのが好ましい。界面活性剤の使用量が前記範囲にあることでより良好なインク組成物の耐水性、浸透性が得られる。界面活性剤は特に制限されないが、好ましい例としては前記の界面活性剤が挙げられる。
【００２１】
また、分散相成分としての樹脂と連続相成分としての水との割合は、樹脂１００重量部に対して、水が好ましくは６０〜４００重量部、更に好ましくは１００〜２００重量部である。
【００２２】
このような樹脂エマルジョンとして、公知の樹脂エマルジョンを用いることも可能であり、例えば特公昭６２−１４２６号公報、特開平３−５６５７３号公報、特開平３−７９６７８号公報、特開平３−１６００６８号公報、特開平４−１８４６２号公報等に記載の樹脂エマルジョンをそのまま用いることができる。
【００２３】
また、市販の樹脂エマルジョンを使用することも可能であり、例えば、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）等が挙げられる。
【００２４】
前記マゼンタインク及びライトマゼンタインク組成物は、樹脂エマルジョンを、その樹脂成分がインク組成物の０．１〜４０重量％、特に１〜２５重量％となるよう含有するのが好ましい。樹脂エマルジョンは、着色剤としての顔料の浸透を抑制し、記録媒体への定着を促進する効果を有する。また、樹脂エマルジョンの種類によっては記録媒体上でインク像表面に皮膜を形成し、印字物の耐擦性を向上させることができる。
【００２５】
前記マゼンタインク及びライトマゼンタインク組成物は、樹脂エマルジョン形態の熱可塑性樹脂を含むことが好ましい。ここで、熱可塑性樹脂とは、軟化温度が通常５０〜２５０℃、好ましくは６０〜２００℃のものである。ここで、軟化温度という語は、熱可塑性樹脂のガラス転移点、融点、粘性率が１０１１〜１０１２ポアズになる温度、流動点、樹脂エマルジョンの形態にある場合にその最低造膜温度（ＭＦＴ）のうち最も低い温度を含むものとする。本発明のインクセットを用いて印字画像を記録する方法の加熱工程では、記録媒体を熱可塑性樹脂の軟化温度以上の温度で加熱する。また、これらの樹脂は、軟化又は溶融温度以上に加熱され、冷却された際に、強固な耐水性、耐擦性のある膜を形成するものが好ましい。
【００２６】
また、本発明のインクセットに使用されるインク組成物には、上述した顔料および分散剤の代わりに、分散ポリマーを用いず、顔料粒子表面に直接分散性付与基を化学的に導入することにより、分散剤なしに水に分散および／または溶解を可能とした、いわゆる自己分散顔料を用いることもできる。
【００２７】
前記水性媒体としては、水並びに水溶性有機溶媒や各種添加剤が含有される。前記水性媒体として水を用いる場合、水は、前記マゼンタインク及びライトマゼンタインクの各インク組成物中に各成分の残量として添加される。水溶性有機溶媒や各種添加剤としては、浸透促進剤、湿潤剤、ｐＨ調整剤等を挙げることができる。
【００２８】
浸透促進剤は、記録媒体への濡れ性を高めて有機顔料の浸透性を高めるため好ましい。浸透促進剤としては、例えば、カチオン性界面活性剤、アニオン性界面活性剤、ノニオン性界面活性剤等の各種界面活性剤；メタノール、エタノール、イソプロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロレングリコールモノブチルエーテル等の多価アルコールの低級アルキルエーテル；１，２−ペンタンジオール、１，２−ヘキサンジオール等のジオールが挙げられ、これらの１種又は２種以上が用いられる。特に、１，２−ヘキサンジオール等のジオールを用いることが好ましい。
【００２９】
前記浸透促進剤は、インク組成物中、０．１〜２０重量％程度が好ましく、より好ましくは３〜１５重量％程度である。
【００３０】
浸透促進剤の好ましい例としては、１，２−アルカンジオール及び／又はシリコン系界面活性剤が挙げられる。
【００３１】
前記シリコン系界面活性剤としては、下記一般式（１）に示すポリエーテル変性オルガノシロキサン系化合物を挙げることができる。
【００３２】
【化１】
2007063451.tif 000002
（式中、Ｒ1〜Ｒ7は、それぞれ独立して、Ｃ1-6アルキル基であり、ｊ、ｋ及びｇは、それぞれ独立して、１以上の整数であり、ＥＯはエチレンオキシ基であり、ＰＯはプロピレンオキシ基であり、ｐ及びｑは０以上の整数であるが、但しｐ＋ｑは１以上の整数であり、ＥＯ及びＰＯは、［  ］内においてその順序は問わず、ランダムであってもブロックであってもよい）
【００３３】
１，２−アルカンジオールとしては、炭素数が４〜６のもの、例えば、１，２−ブタンジオール、１，２−ペンタンジオール、または１，２−ヘキサンジオールが挙げられ、好ましくは、１，２−ペンタンジオール、１，２−ヘキサンジオールであり、さらに好ましくは、１，２−ヘキサンジオールである。これらは一種または二種以上の組み合わせで用いることもできる。
【００３４】
１，２−アルカンジオールの添加量は、インク組成物に対して０．１〜２０重量％程度の範囲が好ましく、より好ましくは３〜１５重量％程度、更に好ましくは５〜１０重量％程度である。
【００３５】
また、上記一般式（１）で表されるポリエーテル変性オルガノシロキサン系化合物としては、好ましくは、Ｒ1〜Ｒ7が独立して炭素数１〜６のアルキル基、好ましくはメチル基である。ｊ、ｋ及びｇは、独立して、１以上の整数であるが、より好ましくは１〜２である。また、ｐ及びｑは０以上の整数であるが、但しｐ＋ｑは１以上の整数である。
【００３６】
上記一般式（１）で表されるポリエーテル変性オルガノシロキサン系化合物としては、より好ましくは、例えば、ｊ＝ｋ＋１を満足する化合物、Ｒ1〜Ｒ7が全てメチル基であり、ｊが２であり、ｋが１であり、ｇが１であり、ｐが１以上の整数であり、ｑが０である化合物等が挙げられる。
【００３７】
上記一般式（１）で表される化合物は市販されており、それらを利用することが可能である。例えば、ビッグケミー・ジャパン株式会社より市販されているシリコン系界面活性剤ＢＹＫ−３４５、ＢＹＫ−３４６、ＢＹＫ−３４７、又はＢＹＫ−３４８が利用可能である。
【００３８】
ポリエーテル変性オルガノシロキサン系化合物の添加量は適宜決定されてよいが、インク組成物に対して０．０１〜１．０重量％程度の範囲が好ましく、より好ましくは０．３〜０．８重量％程度である。
【００３９】
浸透促進剤のその他の好ましい例としては、多価アルコール低級アルキルエーテル（グリコールエーテル）類及び／又は下記の一般式（２）で表されるアセチレングリコール系界面活性剤を挙げることができる。
【００４０】
【化２】
2007063451.tif 000003
（式中、０≦ｍ＋ｎ≦３０であり、Ｒ8〜Ｒ11は、それぞれ独立してＣ1-6アルキル基である）
【００４１】
上記多価アルコール低級アルキルエーテル（グリコールエーテル）としては、ジエチレングリコールモノブチルエーテル、トリエチレングリコールモノブチルエーテル、プロピレングリコールモノブチルエーテル、ジプロピレングリコールモノブチルエーテルを用いることができる。中でも特に、トリエチレングリコールモノブチルエーテルが好ましい。
【００４２】
上記一般式（２）で表されるアセチレングリコール系界面活性剤として市販品を利用することも可能であり、その具体例としてサーフィノール１０４、８２、４６５、４８５又はＴＧ（いずれもAir Product and Chemicals. Inc. より入手可能）、オルフィンＳＴＧ、オルフィンＥ１０１０（以上、日信化学社製（商品名））を挙げることができる。
【００４３】
多価アルコール低級アルキルエーテルの添加量は１〜３０重量％であるのが好ましく、より好ましくは５〜２０重量％である。
【００４４】
アセチレングリコール系界面活性剤の添加量は適宜決定されてよいが、インク組成物に対して０．０１〜５重量％であるのが好ましく、より好ましくは０．１〜１重量％の範囲である。
【００４５】
湿潤剤は、インクジェットプリンタのノズルの目詰まりを防止するため好ましい。湿潤剤としては、例えば、グリセリン、エチレングリコール、ジエチレングリコール、トリエチレングリコール、テトラエチレングリコール、プロピレングリコール、ジプロピレングリコール、トリプロピレングリコール、分子量２０００以下のポリエチレングリコール、1，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等の多価アルコールが挙げられ、好ましくはグリセリンである。
【００４６】
湿潤剤の添加量は適宜決定されてよいが、インク組成物に対して０．１〜３０重量％程度が好ましく、より好ましくは０．５〜２５重量％程度である。
【００４７】
ｐＨ調整剤としては、水酸化カリウム、水酸化ナトリウム、トリエタノールアミン等を挙げることができる。ｐＨ調整剤の添加量は目的とするｐＨに応じて決定される。
【００４８】
本実施形態に係るインクセットに用いられるインク組成物には、必要に応じて、水溶性ロジン類等の定着剤、安息香酸ナトリウム等の防黴剤・防腐剤、アロハネート類等の酸化防止剤・紫外線吸収剤、キレート剤等の添加剤を含有させることができる。
【００４９】
本発明のインクセットには、前記マゼンタインク及びライトマゼンタインク組成物以外に、通常のインク組成物を含有することができる。そのようなインク組成物としては、イエローインク組成物及びシアンインク組成物が好ましい。これらのインク組成物に使用される成分としては、通常インク組成物に使用される着色剤、分散剤等を特に制限なく用いることができる。
【００５０】
前記イエローインク組成物、前記シアンインク組成物の着色剤としては、それぞれイエロー顔料、シアン顔料が好適に用いられる。前記イエロー顔料としては、Ｃ．Ｉ．ピグメントイエロー７４、９３、１０９、１１０、１２８、１３８、１５０、１５１、１５４、１５５、１８０、１８５等が挙げられ、前記シアン顔料としては、Ｃ．Ｉ．ピグメントブルー１、２、３、１５：３、１５：４、１５：３４、１６、２２、６０及びＣ．Ｉ．バットブルー４、６０等が挙げられる。
【００５１】
更に、本発明のインクセットは、シアンインク組成物の顔料濃度よりも低い顔料濃度からなるライトシアンインク組成物を含むことができる。特に、前記マゼンタインク組成物、ライトマゼンタインク組成物とともに、イエローインク組成物、シアンインク組成物及びライトシアンインク組成物とを組み合わせることが、粒状性を改善した記録物を得る観点から好ましい。その他、必要に応じて、カーボンブラック等を含むブラックインク組成物等を含むことができる
【００５２】
本発明のインクセットは、各種の印字方式に適用することができるが、特にインクジェット記録方式に好ましく用いることができる。
【００５３】
また、インク組成物の液滴を吐出し、該液滴を記録媒体に付着させて印字を行うインクジェット記録方法で、前述した本発明のインクセットを用いる方法によれば、低明度部から高明度部まで広い範囲で粒状性を改善した記録物を得ることができる。
【実施例１】
【００５４】
以下、実施例により本発明をさらに具体的に説明する。まず、以下の表に記載した組成及び配合量でカラーインク組成物（インクＮｏ．１〜７）及びブラックインク組成物（インクＮｏ．８）を調製した。なお、表１中に示すインク組成物の各成分はインク組成物全量に対する各成分の重量％を示す。また、表中、ＰＶ１９はＣ．Ｉ．ピグメントバイオレット１９を意味し、ＰＲ１２２はＣ．Ｉ．ピグメントレッド１２２を意味し、ＰＹ７４はＣ．Ｉ．ピグメントイエロー７４を意味し、ＰＢ１５：３はＣ．Ｉ．ピグメントブルー１５：３を意味する。また、ＢＹＫ−３４８はビッグケミー・ジャパン株式会社より市販されているシリコン系界面活性剤ＢＹＫ−３４８を意味する。
【００５５】
【表１】
2007063451.tif 000004
【００５６】
上記のインク組成物（インクＮｏ．１〜７）を用いて、以下の表に示す組み合わせでインクセット（Ａ〜Ｄ）を構成した。なお、表中の使用インクＮｏ．は表１のインクＮｏ．に対応するものである。いずれのインクセット（Ａ〜Ｄ）においてもイエローインク組成物（Ｙ）、シアンインク組成物（Ｃ）及びライトシアンインク組成物（ＬＣ）は共通である。その他、表中、Ｍはマゼンタインク組成物を意味し、ＬＭはライトマゼンタインク組成物を意味し、Ｂｋはブラックインク組成物を意味する。
【００５７】
【表２】
2007063451.tif 000005
【００５８】
［試験例１］粒状性の評価
表２に記載のインクセットＡ〜Ｄの各々を、インクジェットプリンタＰＭ−４０００ＰＸ（セイコーエプソン社製）に装着し、インクジェット専用記録媒体（ＰＭ写真用紙：セイコーエプソン社製）に印刷した。印刷は、上記インクジェットプリンタ専用のプリンタドライバを介して、白からマゼンタ１００％出力に至るグラデーションのパターンを形成した。そして、各サンプルの印刷面を目視にて観察し、以下の基準にて粒状性を評価した。結果を表２に示す。
Ａ：印刷面から３０ｃｍ離れた距離での目視観察では粒状感を認識できない
Ｂ：印刷面から３０ｃｍ離れた距離での目視観察において粒状感を認識できる
Ｃ：印刷面から３０ｃｍを超える距離での目視観察においても粒状感を認識できる
【００５９】
以上説明したように、本発明は、マゼンタインク組成物と、該マゼンタインク組成物の顔料濃度よりも低い顔料濃度からなるライトマゼンタインク組成物と、を少なくとも備えるインクセットにおいて、該マゼンタインク組成物に用いられる顔料をＣ．Ｉ．ピグメントバイオレット１９とし、該ライトマゼンタインク組成物に用いられる顔料をＣ．Ｉ．ピグメントレッド１２２としたことにより、記録媒体に形成された記録物の画像の粒状性を向上させることができる。